(57)【要約】      （修正有）【課題】畜舎の天井あるいは壁として必要な剛性を有し、かつ雨水に対する防錆性、アルカリ性雰囲気に対する耐食性、畜舎内の家畜や害虫、害獣の糞尿に対する抗菌性に優れ、しかも安価な畜舎用パネル、およびそれを用いた畜舎建設方法を提供する。【解決手段】畜舎用パネル６は、防錆性を備えた平板状の防錆鋼板７と、防錆鋼板７に接着剤によって貼り付けらける平板状の断熱材４と、断熱材４に接着剤で貼り付けられる平板状の抗菌性ならびに耐食性を備えた抗菌ボード８と、を有する畜舎用パネル。【選択図】図１
2019092425.tif 000002
【特許請求の範囲】
【請求項１】
畜舎の天井あるいは壁として用いる畜舎用パネルであって、防錆性を備えた平板状の防錆鋼板と、該防錆鋼板に接着剤によって貼り付けられる平板状の断熱材と、該断熱材に接着剤で貼り付けられる平板状の抗菌性ならびに耐食性を備えた抗菌ボードと、を有することを特徴とする畜舎用パネル。
【請求項２】
前記防錆鋼板が、亜鉛−アルミニウム系めっき鋼板または塗覆装亜鉛−アルミニウム系めっき鋼板またはステンレス鋼板であることを特徴とする請求項１に記載の畜舎用パネル。
【請求項３】
前記断熱材が、ポリスチレン発泡体であることを特徴とする請求項１または２に記載の畜舎用パネル。
【請求項４】
前記抗菌ボードが、ポリプロピレン成形板材であることを特徴とする請求項１〜３のいずれか一項に記載の畜舎用パネル。
【請求項５】
前記抗菌ボードが、２枚のポリプロピレン表面層の間に廃プラスチック発泡体層を配置した３層構造をなすことを特徴とする請求項１〜３のいずれか一項に記載の畜舎用パネル。
【請求項６】
畜舎の天井あるいは壁を構築する畜舎建設方法において、防錆性を備えた平板状の防錆鋼板と、該防錆鋼板に接着剤によって貼り付けられる平板状の断熱材と、該断熱材に接着剤で貼り付けられる平板状の抗菌性ならびに耐食性を備えた抗菌ボードと、を有する畜舎用パネルを用い、前記防錆鋼板を前記畜舎の屋外側に向かわせ、前記抗菌ボードを前記畜舎の屋内側に向かわせて前記天井あるいは前記壁を構築することを特徴とする畜舎建設方法。
【請求項７】
前記畜舎用パネルの前記防錆鋼板が、亜鉛−アルミニウム系めっき鋼板または塗覆装亜鉛−アルミニウム系めっき鋼板またはステンレス鋼板であることを特徴とする請求項６に記載の畜舎建設方法。
【請求項８】
前記畜舎用パネルの前記断熱材が、ポリスチレン発泡体であることを特徴とする請求項６または７に記載の畜舎建設方法。
【請求項９】
前記畜舎用パネルの前記抗菌ボードが、ポリプロピレン成形板材であることを特徴とする請求項６〜８のいずれか一項に記載の畜舎建設方法。
【請求項１０】
前記畜舎用パネルの前記抗菌ボードが、２枚のポリプロピレン表面層の間に廃プラスチック発泡体層を配置した３層構造をなすことを特徴とする請求項６〜８のいずれか一項に記載の畜舎建設方法。
【発明の詳細な説明】
【技術分野】
【０００１】
本発明は、畜舎（たとえば鶏舎、豚舎、牛舎等）の天井あるいは壁に好適な畜舎用パネル、およびそれを用いた畜舎建設方法に関するものである。
【背景技術】
【０００２】
畜舎を建設するにあたって、工事の簡素化、作業員の人数削減、ならびに施工期間の短縮を図るために、従来から様々なパネルが開発されている。
【０００３】
たとえば特許文献１には、２枚のアルミニウム亜鉛合金めっき鋼板（以下、Al−Znめっき鋼板という）の間に、合成樹脂（たとえばウレタン等）の発泡体を断熱材として配置した３層構造のパネルが開示されている。このパネルを畜舎の天井あるいは壁に使用すれば、Al−Znめっき鋼板によって雨水に対する防錆性が維持され、断熱材によって畜舎内の温度変動が抑制される。しかもAl−Znめっき鋼板によって、畜舎として必要な剛性が得られるという利点を備えている。
【０００４】
一方で、近年は畜舎内の衛生管理が厳しく要求されるようになり、畜舎内の洗浄が日々行なわれている。畜舎内の洗浄作業ではアルカリ性の洗浄剤（たとえば石灰、苛性ソーダ等）が使用されるので、畜舎の天井や壁の屋内側に向かう面はアルカリ性雰囲気に曝される。
【０００５】
このような環境にて畜舎の天井や壁に上記のパネルを使用すれば、雨水に対するAl−Znめっき鋼板の防錆性が発揮されて、畜舎の屋外側に向かう面の発錆は抑制されるが、アルカリ性雰囲気に対するAl−Znめっき鋼板の耐食性が劣ることから、畜舎の屋内側に向かう面は容易に腐食が進行する。
【０００６】
そこで図４に示すように、畜舎の躯体１（たとえば柱、梁等）の屋外側に上記のパネル２を取り付け、躯体１の屋内側にプラスチック製ボード５を取り付けて畜舎を建設している。なおパネル２は、２枚のAl−Znめっき鋼板３の間に断熱材４を配置した３層構造（図４参照）である。このように施工することによって、畜舎内のアルカリ性雰囲気がAl−Znめっき鋼板３に接触するのを防止できる。
【０００７】
ところがパネル２とプラスチック製ボード５を併用することによって、互いに隣り合う躯体１とパネル２、プラスチック製ボード５で囲まれた空間11が発生する。このような空間11には害虫（たとえば蝿、ゴキブリ等）や害獣（たとえば鼠等）が容易に営巣するので、畜舎内の衛生管理に多大な悪影響を及ぼす。
【０００８】
特許文献２には、繊維強化プラスチック（いわゆるＦＲＰ）を使用したパネルが開示されている。このパネルを畜舎の躯体の屋外側に取り付けることによって、プラスチック製ボードを屋内側に使用せずに、雨水に対する防錆性、アルカリ性雰囲気に対する耐食性、害虫や害獣の糞尿に対する抗菌性、および畜舎として必要な剛性を得ることができる。しかしながらＦＲＰは極めて高価であるから、畜舎の建設コストの上昇、ひいては畜産物の価格の上昇を招くという問題がある。
【先行技術文献】
【特許文献】
【０００９】
【特許文献１】特許第2524935号公報
【特許文献２】特開2014-196638号公報
【発明の概要】
【発明が解決しようとする課題】
【００１０】
本発明は、従来の技術の問題点を解消し、畜舎の天井あるいは壁として必要な剛性を有し、かつ雨水に対する防錆性、アルカリ性雰囲気に対する耐食性、畜舎内の家畜や害虫、害獣の糞尿に対する抗菌性に優れ、しかも安価な畜舎用パネル、およびそれを用いた畜舎建設方法を提供することを目的とする。
【課題を解決するための手段】
【００１１】
本発明者は、畜舎の天井あるいは壁に好適なパネルとして、片方の面に雨水に対する防錆性および十分な剛性を付与し、他方の面にアルカリ性雰囲気に対する耐食性および家畜等の糞尿に対する抗菌性を付与したパネル（以下、畜舎用パネルという）について検討した。つまり、畜舎を建設する際には、畜舎用パネルの防錆性を付与した面を屋外側に向かわせ、耐食性および抗菌性を付与した面を屋内側に向かわせて施工するのである。
【００１２】
そして、畜舎用パネルの製造コストを低減するために、様々な素材を用いて実験を行なった結果、防錆性および剛性を有する安価な素材としてステンレス鋼板や種々のめっき鋼板、耐食性および抗菌性を有する安価な素材としてポリプロピレン（以下、ＰＰという）の成形体に着目した。
【００１３】
次に、めっき鋼板やステンレス鋼板とＰＰ成形体の間に配置する断熱材について検討した。従来から断熱材として広く使用されているウレタン発泡体を、めっき鋼板やステンレス鋼板とＰＰ成形体との間に配置した畜舎用パネルを作製したところ、ウレタン発泡体とＰＰ成形体の接着性が劣り、剥離し易いことが判明した。
【００１４】
そこで、様々な断熱材を用いて畜舎用パネルを作製して実験を行なった。その結果、ポリスチレン（以下、ＰＳという）の発泡体が、ＰＰ成形体との接着性に優れ、かつ良好な断熱性を有することを見出した。
【００１５】
本発明は、このような知見に基づいてなされたものである。
すなわち本発明は、畜舎の天井あるいは壁として用いる畜舎用パネルであって、防錆性を備えた平板状の防錆鋼板と、防錆鋼板に接着剤によって貼り付けられる平板状の断熱材と、断熱材に接着剤で貼り付けられる平板状の抗菌性ならびに耐食性を備えた抗菌ボードと、を有する畜舎用パネルである。
【００１６】
本発明の畜舎用パネルにおいては、防錆鋼板が亜鉛−アルミニウム系めっき鋼板または塗覆装亜鉛−アルミニウム系めっき鋼板またはステンレス鋼板であることが好ましく、断熱材がＰＳ発泡体であることが好ましい。また、抗菌ボードがＰＰ成形板材であることが好ましい。あるいは、抗菌ボードが２枚のＰＰ表面層の間に廃プラスチック発泡体層を配置した３層構造をなすことが好ましい。
【００１７】
また本発明は、畜舎の天井あるいは壁を構築する畜舎建設方法において、防錆性を備えた平板状の防錆鋼板と、防錆鋼板に接着剤によって貼り付けられる平板状の断熱材と、断熱材に接着剤で貼り付けられる平板状の抗菌性ならびに耐食性を備えた抗菌ボードと、を有する畜舎用パネルを用い、防錆鋼板を畜舎の屋外側に向かわせ、抗菌ボードを畜舎の屋内側に向かわせて天井あるいは壁を構築する畜舎建設方法である。
【００１８】
本発明の畜舎建設方法においては、防錆鋼板が亜鉛−アルミニウム系めっき鋼板または塗覆装亜鉛−アルミニウム系めっき鋼板またはステンレス鋼板であることが好ましく、断熱材がＰＳ発泡体であることが好ましい。また、抗菌ボードがＰＰ成形板材であることが好ましい。あるいは、抗菌ボードが２枚のＰＰ表面層の間に廃プラスチック発泡体層を配置した３層構造をなすことが好ましい。
【００１９】
ここで、亜鉛−アルミニウム系めっき鋼板は、特許文献１に開示されているようなアルミニウム亜鉛合金鋼板（既に説明したAl−Znめっき鋼板）を指し、例えば、アルミニウムを２〜90質量％含有するもの、さらに好ましくは４〜60質量％含有するものである。塗覆装亜鉛−アルミニウム系めっき鋼板は、塗装（例えばポリエステル樹脂系塗装、アクリル樹脂系塗装、フッ素樹脂系塗装等）を施したAl−Znめっき鋼板（いわゆる塗装鋼板）や樹脂フィルム（例えばポリオレフィン樹脂系フィルム、フッ素樹脂系フィルム等）で被覆したAl−Znめっき鋼板（いわゆる樹脂フィルムラミネート鋼板）を指す。
【発明の効果】
【００２０】
本発明によれば、畜舎の天井あるいは壁として必要な剛性、雨水に対する防錆性を有し、かつアルカリ性雰囲気に対する耐食性、畜舎内の家畜や害虫、害獣の糞尿に対する抗菌性に優れ、しかも安価な畜舎用パネルを得ることができる。さらに、その畜舎用パネルを用いて畜舎を容易に建設できるので、産業上格段の効果を奏する。
【図面の簡単な説明】
【００２１】
【図１】本発明の畜舎用パネルの例を模式的に示す断面図である。
【図２】図１中の抗菌ボードの他の例を模式的に示す断面図である。
【図３】本発明の畜舎用パネルを躯体に取り付けた例を模式的に示す断面図である。
【図４】従来のパネルを施工した例を模式的に示す断面図である。
【発明を実施するための形態】
【００２２】
図１は、本発明の畜舎用パネルの例を模式的に示す断面図である。本発明の畜舎用パネル６は、防錆鋼板７と断熱材４が接着剤で貼り付けられ、その断熱材４に抗菌ボード８が接着剤で貼り付けられて構成される。
【００２３】
防錆鋼板７は、畜舎の天井や壁として使用するために十分な剛性を有し、かつ雨水に対する防錆性を備えた鋼板（たとえばめっき鋼板、ステンレス鋼板等）を使用する。なお、十分な剛性と防錆性を兼ね備えた安価な材料として、Al−Znめっき鋼板を防錆鋼板７として使用することが好ましい。また、防錆鋼板７は、塗装（例えばポリエステル樹脂系塗装、アクリル樹脂系塗装、フッ素樹脂系塗装等）を施したAl−Znめっき鋼板（いわゆる塗装鋼板）や樹脂フィルム（例えばポリオレフィン樹脂系フィルム、フッ素樹脂系フィルム等）で被覆したAl−Znめっき鋼板（いわゆる樹脂フィルムラミネート鋼板）を使用しても良い。なお、Al−Znめっき鋼板は、めっき層にアルミニウムを２〜90質量％含有するもの、さらに好ましくは４〜60質量％含有するものを使用することが好ましい。
【００２４】
抗菌ボード８は、アルカリ性雰囲気に対する耐食性を有し、かつ畜舎内の家畜や害虫、害獣の糞尿に対する抗菌性に優れた素材からなる平板状の成形体を使用する。本発明においては、畜舎用パネル６の製造コストを低減する観点から、安価なＰＰ製の成形板材（以下、ＰＰ成形板材という）を抗菌ボード８として使用することが好ましい。
【００２５】
畜舎内の温度管理を行なうために必要な断熱材４は、防錆鋼板７と抗菌ボード８との間に配置されて、接着剤で貼り付けられる。本発明においては、ＰＰ成形板材との十分な接着性を得る観点から、ＰＳ製の発泡体（以下、ＰＳ発泡体という）を断熱材４として使用することが好ましい。
【００２６】
図１には抗菌ボード８として単一の素材からなる平板状の成形体（たとえばＰＰ成形板材等）を使用する例を示すが、畜舎用パネル６の更なるコスト削減を図るために、図２に示すような抗菌ボード８を使用しても良い。
【００２７】
図２に示す抗菌ボード８は、２枚のＰＰ製の表面層９（以下、ＰＰ表面層という）の間に廃プラスチック製の発泡体層10（以下、廃プラスチック発泡体層という）を配置した３層構造をなす。ＰＰ表面層と廃プラスチック発泡体層10は、いずれも接着剤で貼り付けられる。
【００２８】
廃プラスチックは、産業廃棄物として廃棄されるプラスチック（いわゆる産廃プラスチック）と一般家庭から廃棄されるプラスチック（いわゆる一般廃プラスチック）に大別されるが、図２の抗菌ボード８で使用する廃プラスチック発泡体層10は、一般廃プラスチックを溶融させた後に発泡体として層状に成形したものである。一般廃プラスチックは、ポリエチレンとＰＰの混合物であるから、成分の大幅な変動は発生しない。つまり、図２に示すような３層構造の抗菌ボード８は、単一の素材からなるＰＰ成形板材と同等の特性が得られる。
【００２９】
このようにして２枚のＰＰ表面層９と安価な廃プラスチック発泡体層10からなる３層構造とすることによって、抗菌ボード８の価格を低減し、ひいては畜舎用パネル６のコスト削減を図ることができる。しかも、断熱材４（図１参照）に貼り付けられる抗菌ボード８の表面はＰＰ表面層９であるから、ＰＳ発泡体との良好な接着性を確保することが可能である。また、畜舎内のアルカリ性雰囲気に曝され、かつ家畜や害虫、害獣の糞尿が付着する表面もＰＰ表面層９であるから、優れた耐食性ならびに抗菌性を発揮できる。
【００３０】
抗菌ボード８のＰＰ表面層９は、二酸化チタンおよび／または雲母を粉砕した粉末を練り込んだＰＰを成形したものを使用すれば、抗菌ボード８の耐食性と抗菌性を高めることができるので好ましい。そして、抗菌ボード８の耐食性、抗菌性、剛性、接着性をバランス良く発揮させるために、ＰＰ表面層９に占める二酸化チタンの含有量は１〜３wt％、雲母の含有量は10〜20wt％の範囲内が好ましい。より好ましくは、二酸化チタン：１〜２wt％、雲母：13〜17wt％である。
【００３１】
この畜舎用パネル６を畜舎の天井あるいは壁として躯体１に取り付ける際には、図３に示すように、防錆鋼板７を畜舎の屋外側に向かわせ、抗菌ボード８を畜舎の屋内側に向かわせて畜舎を建設する。こうすることによって、防錆鋼板７が雨水に対する防錆性を発揮し、かつ、天井や壁として必要な剛性を発揮する。また、抗菌ボード８が、畜舎内のアルカリ性雰囲気に対する耐食性を発揮するとともに、糞尿に対する抗菌性も発揮する。
【００３２】
したがって、躯体１の屋内側に別のボードを取り付ける必要がなくなり、その結果、図４に示すような空間11は発生しない。
【実施例】
【００３３】
［実施例１］
図２に示す本発明に係る抗菌ボード、すなわち２枚のＰＰ表面層の間に廃プラスチック発泡体層を配置した３層構造の抗菌ボードの抗菌性について調査するために、培養試験と洗浄試験を行なった。
【００３４】
まず、培養試験の手順と結果について説明する。
新品の抗菌ボードのＰＰ表面層を顕微鏡で観察して、大腸菌およびサルモネラ菌の菌数を調査した。その菌数を培養初期値とする。次いで培養試験として、豚舎内の糞尿をＰＰ表面層に塗布し、30℃の湿潤状態で培養（24時間）した後、顕微鏡で観察して大腸菌およびサルモネラ菌の菌数を調査した。その結果、菌数は培養初期値の４倍であった。これを発明例１とする。
【００３５】
比較のために、新品の塩化ビニル製の平板の表面を顕微鏡で観察して、大腸菌およびサルモネラ菌の菌数を調査した。その菌数を培養初期値とする。次いで、発明例１と同じ条件で培養試験を行なった後、顕微鏡で観察して大腸菌およびサルモネラ菌の菌数を調査した。その結果、菌数は培養初期値の７倍であった。これを比較例１とする。
【００３６】
さらに、新品のベニヤ板の表面を顕微鏡で観察して、大腸菌およびサルモネラ菌の菌数を調査した。その菌数を培養初期値とする。次いで、発明例１と同じ条件で培養試験を行なった後、顕微鏡で観察して大腸菌およびサルモネラ菌の菌数を調査した。その結果、菌数は培養初期値の８倍であった。これを比較例２とする。
【００３７】
次に、洗浄試験の手順と結果について説明する。
新品の抗菌ボードのＰＰ表面層に豚舎内の糞尿を塗布し、12時間経過した後、顕微鏡で観察して、大腸菌およびサルモネラ菌の菌数を調査した。その菌数を洗浄初期値とする。次いで洗浄試験として、高圧水を10秒噴射し、さらに10分間静置した後、顕微鏡で観察して大腸菌およびサルモネラ菌の菌数を調査した。その結果、菌数は洗浄初期値の４％であった。これを発明例２とする。
【００３８】
比較のために、新品のベニヤ板の表面に豚舎内の糞尿を塗布し、12時間経過した後、顕微鏡で観察して、大腸菌およびサルモネラ菌の菌数を調査した。その菌数を洗浄初期値とする。次いで、発明例２と同じ条件で洗浄試験を行なった後、顕微鏡で観察して大腸菌およびサルモネラ菌の菌数を調査した。その結果、菌数は洗浄初期値の26％であった。これを比較例３とする。
上記の培養試験と洗浄試験の結果を表１に示す。
【００３９】
【表１】
2019092425.tif 000003
【００４０】
表１から明らかなように、培養試験による発明例１の菌数の増加は、比較例１、２よりも低く抑えられていた。また洗浄試験によって、発明例２は、比較例３よりも大幅に除菌された。つまり、本発明の抗菌ボードが優れた抗菌性を有することが確かめられた。
【００４１】
表１に示す培養試験と洗浄試験は３層構造の抗菌ボード（図２参照）を用いて行なった実験であるが、豚舎内の糞尿を塗布したのはＰＰ表面層であることから、図１に示すような単一の素材からなるＰＰ成形板材を抗菌ボードとして実験を行なっても同様の結果が得られることは明白である。
【００４２】
［実施例２］
単一の素材からなるＰＰ成形板材を抗菌ボードとして使用した畜舎用パネル（図１参照）および３層構造の抗菌ボード（図２参照）を使用した畜舎用パネルを併用して、畜舎の壁を建設した。その際、図３に示すように、畜舎用パネルの防錆鋼板を畜舎の屋外側に向かわせ、抗菌ボードを畜舎の屋内側に向かわせて躯体に取り付けた。
【００４３】
こうして畜舎内で豚を飼育し、２ケ月経過した後、畜舎用パネルの屋外側と屋内側を目視で点検したと。その結果、２種類の畜舎用パネルは全て変形しておらず、屋外側の錆ならびに屋内側の腐食は認められなかった。つまり本発明の畜舎用パネルが、剛性、防錆性、耐食性を有することが確かめられた。
【符号の説明】
【００４４】
１  躯体
２  パネル
３  Al−Znめっき鋼板
４  断熱材
５  プラスチック製ボード
６  畜舎用パネル
７  防錆鋼板
８  抗菌ボード
９  ＰＰ表面層
10  廃プラスチック発泡体層
11  空間
【図１】
2019092425.tif 000004
【図２】
2019092425.tif 000005
【図３】
2019092425.tif 000006
【図４】
2019092425.tif 000007